(57)【要約】【課題】着用者に不快感を与えない、すっきりとした外観を得ることができると共に、加齢などにより握力の低下した人でも容易に着脱を行うことができるパンツ型吸収性物品を提供する。【解決手段】パンツ型吸収性物品は、吸収部材を含む内装体と、上記内装体が固着された表面を有し、ウエスト開口部が定義された外装体と、を備えるパンツ型吸収性物品であって、上記外装体は、ウエスト開口部周りの少なくとも一部が、伸縮性フィルムと第１の不織ウェブとが積層された伸縮シートで形成されており、上記外装体は、上記表面側に折り返された折返部を上記ウエスト開口部周りに備え、上記折返部には弾性伸縮部材が配置されていることを特徴とする。【選択図】図１
2016154654.tif 000002
【特許請求の範囲】
【請求項１】
吸収部材を含む内装体と、前記内装体が固着された表面を有し、ウエスト開口部が定義された外装体と、を備えるパンツ型吸収性物品であって、
前記外装体は、ウエスト開口部周りの少なくとも一部が、伸縮性フィルムと第１の不織ウェブとが積層された伸縮シートで形成されており、
前記外装体は、前記表面側に折り返された折返部を前記ウエスト開口部周りに備え、前記折返部には弾性伸縮部材が配置されていることを特徴とするパンツ型吸収性物品。
【請求項２】
前記伸縮シートは、さらに、第２の不織ウェブを有し、前記伸縮性フィルムは、前記第１の不織ウェブと前記第２の不織ウェブとに挟持されていることを特徴とする請求項１に記載のパンツ型吸収性物品。
【請求項３】
前記第１の不織ウェブは、前記第２の不織ウェブの端部を超える延出部を備え、
前記折返部は、前記延出部の少なくとも一部を含み、前記第２の不織ウェブの前記端部は、前記延出部に覆われていることを特徴とする請求項２に記載のパンツ型吸収性物品。
【請求項４】
前記折返部は、複数の伸縮シート層を含み、前記複数の伸縮シート層が相互に接合された第１の接合部を備えることを特徴とする請求項１から３のいずれか１項に記載のパンツ型吸収性物品。
【請求項５】
前記折返部は、前記第１の接合部から離間して配置された第２の接合部を更に備えることを特徴とする請求項４記載のパンツ型吸収性物品。
【請求項６】
前記第１の接合部は、前記パンツ型吸収性物品の短手方向の長さが２ｍｍ以上１０ｍｍ以下となり、前記パンツ型吸収性物品の長手方向の長さが１０ｍｍ以上３０ｍｍ以下となるように設けられ、
前記第１の接合部と前記第２の接合部との離間距離は２０ｍｍ以上１００ｍｍ以下となるように設けられることを特徴とする請求項５記載のパンツ型吸収性物品。
【発明の詳細な説明】
【技術分野】
【０００１】
本発明は、パンツ型吸収性物品に関する。
【背景技術】
【０００２】
パンツ型吸収性物品は、着脱がしやすく、着用者の身体へのフィット性が高くなるように、使用者の腹回りの部位や脚周りの部位等に、ギャザーが付設されることが多い。これらのギャザーは、例えば、図６に示すように、パンツ型吸収性物品１００の腹側領域および背側領域の広範囲に亘って、弾性部材の糸ゴム１１０を伸長状態で不織ウェブに接着した部材を準備し、パンツ型吸収性物品１００に接着することにより、形成することができる。これにより、パンツ型吸収性物品１００の伸縮特性が向上し、着用者の身体へのフィット性を高め、さらには、尿や血液等の体液がパンツ型吸収性物品１００の外部に漏れ出ることも防止することとなる。
【０００３】
パンツ型吸収性物品として、例えば、特許文献１には、ウエスト開口部及び一対の該レッグ開口部それぞれの周縁部に、各周縁部の略全周にわたって連続したギャザーを形成する弾性部材を備え、ウエスト開口部の周縁部及びレッグ開口部の周縁部における、腹側部の側縁部と背側部の側縁部との溶着接合部は、溶着接合部の長さ１ｃｍ以上が、溶着接合部の幅方向における略中央部に非溶着部を有する間歇接合部とし、良好な装着感や風合いを保持しながら良好なフィット性を目指したものが開示されている。
【０００４】
しかしながら、このような従来の吸収性物品は、その嵩高く特徴的な外観によって、着用者に布製下着とは異なった違和感及び着用時の不快感を与えるものであった。また、着用時のフィット性のさらなる向上を目的とした場合、糸ゴムの本数を増やしたギャザーを使用することが多く、その場合、糸ゴムを増やすために不織ウェブと接着する為の接着剤も多量に必要となり、結果として、質感が硬く、肌触りの悪いものとなってしまっていた。また、着用時のフィット性を維持しつつ、着脱し易くするためには、パンツ型吸収性物品は、適応するウエストサイズ以上に伸縮可能であることが重要である。従来のパンツ型吸収性物品では、腹回りの部位を２００％程度伸張させると、その素材が破れてしまい、これ以上に伸縮率を大きくするためには、より多くの糸ゴムが必要となり、やはり、肌触りの悪化を引き起こしていた。さらに、積層した不織ウェブは、糸ゴムの配設方向に伸張するだけでなく、糸ゴムの配設方向以外の方向にもわずかではあるが伸張するため、指先が腹回りの部位に纏わりついて、着脱しにくいことがあった。さらに、従来のパンツ型吸収性物品は、構造上ウエスト周りが滑りやすく、着脱時に指で把持しにくいため、加齢などにより握力の低下した人にとって着脱を容易に行うことができないという問題点があった。
【先行技術文献】
【特許文献】
【０００５】
【特許文献１】特開平１０−１３７２８７号公報
【発明の概要】
【発明が解決しようとする課題】
【０００６】
従って、本発明の目的は、このような課題に鑑みてなされたものであり、その目的は、着用者に不快感を与えない、すっきりとした外観を得ることができると共に、加齢などにより握力の低下した人でも容易に着脱を行うことができるパンツ型吸収性物品を提供することにある。
【課題を解決するための手段】
【０００７】
（１）本発明の一実施形態に係るパンツ型吸収性物品は、吸収部材を含む内装体と、上記内装体が固着された表面を有し、ウエスト開口部が定義された外装体と、を備えるパンツ型吸収性物品であって、上記外装体は、ウエスト開口部周りの少なくとも一部が、伸縮性フィルムと第１の不織ウェブとが積層された伸縮シートで形成されており、上記外装体は、上記表面側に折り返された折返部を上記ウエスト開口部周りに備え、上記折返部には弾性伸縮部材が配置されていることを特徴とする。
（２）本発明の他実施形態に係るパンツ型吸収性物品は、上記（１）記載のパンツ型吸収性物品であって、上記伸縮シートは、さらに、第２の不織ウェブを有し、上記伸縮性フィルムは、上記第１の不織ウェブと上記第２の不織ウェブとに挟持されていることを特徴とする。
（３）本発明の他実施形態に係るパンツ型吸収性物品は、上記（２）記載のパンツ型吸収性物品であって、上記第１の不織ウェブは、上記第２の不織ウェブの端部を超える延出部を備え、上記折返部は、上記延出部の少なくとも一部を含み、上記第２の不織ウェブの上記端部は、上記延出部に覆われていることを特徴とする。
（４）本発明の他実施形態に係るパンツ型吸収性物品は、上記（１）から（３）のいずれかに記載のパンツ型吸収性物品であって、上記折返部は、複数の伸縮シート層を含み、上記複数の伸縮シート層が相互に接合された第１の接合部を備えることを特徴とする。
（５）本発明の他実施形態に係るパンツ型吸収性物品は、上記（４）に記載のパンツ型吸収性物品であって、上記折返部は、上記第１の接合部から離間して配置された第２の接合部を更に備えることを特徴とする。
（６）本発明の他実施形態に係るパンツ型吸収性物品は、上記（５）記載のパンツ型吸収性物品であって、上記第１の接合部は、上記パンツ型吸収性物品の短手方向の長さが２ｍｍ以上１０ｍｍ以下となり、上記パンツ型吸収性物品の長手方向の長さが１０ｍｍ以上３０ｍｍ以下となるように設けられ、上記第１の接合部と上記第２の接合部との離間距離は２０ｍｍ以上１００ｍｍ以下となるように設けられることを特徴とする。
【発明の効果】
【０００８】
本発明の一実施形態に係るパンツ型吸収性物品は、弾性部材固定のための不織ウェブや接着剤などの別部材を低減することができることから、コストを低減し、製造効率を高くすることができる。そして、本発明のパンツ型吸収性物品は、ウエスト開口部において内側に折返部が設けられていることで、着用者に不快感を与えない、すっきりとした外観を得ることができると共に、伸縮シートを含む外装体による収縮力によって、折返部に指をかけてパンツ型吸収性物品を引き上げやすく、加齢などにより握力が低下した人でも容易に装着をすることができる。
【図面の簡単な説明】
【０００９】
【図１】本発明の実施形態に係るパンツ型吸収性物品を示す概略図である。
【図２】（ａ）〜（ｄ）は、図１におけるＸ−Ｘ’断面の断面図を用いて、本発明の実施形態に係るパンツ型吸収性物品１の折返部１３の形成工程を説明する工程図である。
【図３】図１の一点鎖線部で囲まれた矩形領域における部分拡大図である。
【図４】図３の一点鎖線部で囲まれた矩形領域における部分拡大図である。
【図５】（ａ）〜（ｃ）は、本発明の実施形態に係るパンツ型吸収性物品１の製造工程を説明する工程図である。
【図６】従来のパンツ型吸収性物品を示す概略図である。
【発明を実施するための形態】
【００１０】
図１ないし図４を参照して、本発明の実施形態に係るパンツ型吸収性物品およびその製造方法について詳細に説明する。なお、本実施形態の説明は、全体を通して同じ要素には同じ番号を付している。図１は、本実施形態に係るパンツ型吸収性物品１を示す概略図であり、図２（ａ）〜（ｄ）は、図１におけるＸ−Ｘ’断面の断面図を用いて、本発明の実施形態に係るパンツ型吸収性物品１の製造方法を説明する工程図であり、図３は、図１の一点鎖線部で囲まれた矩形領域における部分拡大図であり、図４は、図３の一点鎖線部で囲まれた矩形領域における部分拡大図である。
【００１１】
本明細書の説明において、パンツ型吸収性物品１の長手方向は、パンツ型吸収性物品１が着用されたときに着用者の前後にわたる方向であり、パンツ型吸収性物品１の短手方向は、長手方向に対して横切り又は直交する方向を意味する。また、本明細書の説明において、体液とは、尿、血液や軟便中の水分などの体内から体外に排出された液体をいう。さらにまた、本明細書の説明において、パンツ型吸収性物品１の内側とは、その肌当接面側であって、図１から図３中のＡ側をいい、パンツ型吸収性物品１の外側とは、その非肌当接面側をいい、図１から図３中のＢ側をいう。そして、パンツ型吸収性物品１の着用時とは、パンツ型吸収性物品１の着用している間をいう。本実施形態のパンツ型吸収性物品１は、例えば、使い捨ておむつ、小児用トレーニングパンツ、失禁用物品、女性の生理用物品として用いることができる。また、不織ウェブとは、繊維を織らずに絡み合わせたシート状のものを意味する。
【００１２】
まず、本発明におけるパンツ型吸収性物品１の一実施形態について、図１から図４を用いて説明する。図１から図４に示すように、パンツ型吸収性物品１は、ウエスト開口部Ｗが定義された外装体１０と、肌当接面側において外装体１０の表面に固着された内装体２０とを備える。そして、パンツ型吸収性物品１には、着用者の腹部に位置する腹側領域３１、着用者の背部に位置する背側領域３２、腹側領域３１と背側領域３２とを相互に結合する股部領域３３とが定義される。
【００１３】
（内装体）
本実施形態の内装体２０は、少なくとも吸収部材を備え、体液を吸収するために配置される。内装体２０は、肌当接面側に配置された液透過性のトップシートと、トップシートに対向して配置された非肌当接面側の液不透過性のバックシートと、トップシートとバックシートとの間に配置された吸収部材とを備える。これにより、吸収部材は、トップシートとバックシートとの間に挟まれた構造となっている。内装体２０は、少なくとも股部領域３３上において、外装体１０の内側に配置されており、ホットメルト等の接着剤、熱融着、あるいは超音波接着等により、外装体１０の表面に固着されている。内装体２０は、腹側領域３１から背側領域３２にかけて、設けられていてもよい。
【００１４】
本実施形態のトップシートの基材は、体液が吸収部材へと移動するように液透過性を備えていればよく、例えば、サーマルボンド不織ウェブ等の不織ウェブ、サーマルボンド／スパンボンドを積層した複合不織ウェブ、開口ポリエチレンフィルム等の開口性フィルム、ポリエチレンフォーム、ウレタンフォーム等の発泡フィルム、あるいは、これらを積層した複合シートといった材料から形成される。また、トップシートは、液透過性を向上させるために、表面にエンボス加工や穿孔加工を施すことが好ましい。その加工方法は、公知の方法を制限なく行うことができる。また、肌への刺激を低減させるために、トップシートに、ローション、酸化防止剤、抗炎症成分、ｐＨ調整剤、抗菌剤、保湿剤等を含有させることも好ましい。さらに、強度および加工性の点から、トップシートの坪量は、１４ｇ／ｍ２以上４０ｇ／ｍ２以下であることが好ましい。トップシートの形状としては、特に制限はないが、尿等の体液を吸収部材に誘導するため、吸収部材を覆う形状であればよい。
【００１５】
なお、トップシートの肌当接面側には、内装体２０の長手方向の両側縁部に沿って、体液の漏れを防止する立体ギャザーを設けることが好ましい。内装体２０の短手方向における立体ギャザーの外端部は、バックシートに固定され、同短手方向における立体ギャザーの内端部は、長手方向前後部がトップシートに固着され、前後部間の中央部はトップシートに固定されない自由端となっており、内装体の長手方向に沿って糸ゴム等の立体ギャザー用弾性部材と不織ウェブ等のシートによって形成されることで、起立性を有し、使用者の体型に合わせて伸縮自在に変形可能になっている。
【００１６】
本実施形態のバックシートの基材は、吸収部材が保持している体液が漏れないような液不透過性を備えたものであればよく、不織ウェブ、樹脂フィルム、あるいはこれらを積層した複合シートといった材料から形成される。不織ウェブは、製法が特に限定されることはなく、例えば、スパンボンドやメルトブロー不織ウェブ、あるいは、スパンボンド／メルトブロー、スパンボンド／メルトブロー／スパンボンドを積層した複合不織ウェブ、及びこれらの複合材料が考えられる。また、樹脂フィルムとして、例えば、ポリエステル、ポリビニルアルコール、ポリエチレン、ポリプロピレン、ポリエチレンとポリプロピレンの複合フィルム等がある。また、装着時の蒸れを防止するために、バックシートは、透湿性を持たせることが好ましい。透湿性を備えさせるために、例えば、基材の樹脂フィルムにフィラーを配合することや、バックシートに穿孔のためのエンボス加工を施すことがあげられる。
【００１７】
本実施形態の吸収部材の基材は、一般に生理用ナプキンやおむつ、尿パッド等の吸収性物品に使用されるものであれば特に制限はなく、例えば、フラッフパルプ、高吸水性樹脂（Ｓｕｐｅｒ  Ａｂｓｏｒｂｅｎｔ  Ｐｏｌｙｍｅｒ；以下、「ＳＡＰ」と記す。）、親水性シートといった材料から形成される。フラッフパルプとして、例えば、木材パルプ及び合成繊維、ポリマー繊維等の非木材パルプを綿状に解繊したものがある。また、高吸水性樹脂としては、例えば、ポリアクリル酸ナトリウム系、親水性シートとしては、ティシュ、吸収紙、親水性不織ウェブがあげられる。
【００１８】
吸収部材は、上記の基材を用いて、単層あるいは複層のシート状で構成される。これらの中でも、木材パルプフラッフのような、フラッフパルプのウェブの親水性繊維マトリックスをＳＡＰ粒子と混合して形成したものが好ましい。また、ＳＡＰ粒子の漏洩防止や吸収部材の形状を安定させるために、吸収部材をティシュのような親水性シート（図示せず）に包むことが好ましい。さらに、吸収部材の表面にエンボス加工を施すと、体液の拡散をコントロールすると共に、使用者の体型に応じて吸収部材が容易に変形するので好ましい。
【００１９】
（外装体）
パンツ型吸収性物品１は、腹側領域３１と背側領域３２に位置する部分を重ね合わせて、腹側領域３１の側端に位置する側端部１１ａと背側領域３２の側端に位置する側端部１１ｂとを相互に固着することで、パンツ状に形成された外装体１０を有する。これにより、外装体１０には、ウエスト開口部Ｗが定義される。腹側領域３１及び背側領域３２に位置する部分は、ウエスト開口部Ｗの周りの少なくとも一部が、少なくとも１枚の不織ウェブ１４と伸縮性フィルム１５とを積層し、伸縮可能とした伸縮シート１２で構成されている。伸縮シート１２は、不織ウェブ１４と伸縮性フィルム１５とを、それぞれ２枚以上の複数枚積層したものであってもよい。不織ウェブ１４と伸縮性フィルム１５とは熱融着又は超音波接着などにより一体化されている。外装体１０のうち、少なくとも腹側領域３１及び背側領域３２に位置し、ウエスト開口部Ｗの周りの少なくとも一部を伸縮シート１２で構成することによって、パンツ型吸収性物品１に良好なフィット性を与えることができる。
【００２０】
図２に示すように、本実施形態のパンツ型吸収性物品１には、ウエスト開口部Ｗの周りに、パンツ型吸収性物品１の内側、つまり、内装体２０が固着された表面側に折り返された折返部１３が設けられている。折返部１３には、弾性伸縮部材１９が配置され、固着されている。これにより、伸縮シート１２を含む外装体１０による収縮力によって、折返部１３に指をかけて引き上げやすくなり、加齢などにより握力が低下した人でも容易にパンツ型吸収性物品１の着脱を行うことができる。また、本実施形態のパンツ型吸収性物品１は、パンツ型吸収性物品１の外側から弾性伸縮部材１９を視認しづらくなり、外観上、布製下着に近い印象を着用者に与えることができるから、着用者のパンツ型吸収性物品１に対する違和感や抵抗感を低減することができる。
【００２１】
好ましくは、図２（ｃ）または（ｄ）に示すように、伸縮シート１２は、少なくとも第１の不織ウェブ１４及び第２の不織ウェブ１６と、第１の不織ウェブ１４と第２の不織ウェブ１６との間に挟持された伸縮性フィルム１５と、を複合一体化した伸縮シート１２である。そして、このような不織ウェブ１４／伸縮性フィルム１５／不織ウェブ１６の積層構造を有する伸縮シート１２は、各層が熱融着又は超音波接着などにより複合一体化されており、ホットメルトタイプ等の接着剤を使用せずに複合一体化されていることが好ましい。これによって、伸縮性フィルム１５を不織ウェブ１４、１６が覆い、糸ゴムおよび接着剤を低減することで、風合いを良好としたパンツ型吸収性物品を得ることができる。なお、伸縮性フィルム１５は、不織ウェブ１４、１６によって、その全面が覆われていてもよい。そして、折返部１３は、図２（ｃ）に示すように、一重に折り返されて、一重折返部１３ａと一重折返部１３ａ以外の外装体１０の部分とによって、弾性伸縮部材１９が挟持されるものであってもよいし、図２（ｄ）に示すように、二重に折り返されて、二重折返部１３ｂと二重折返部１３ｂ以外の外装体１０の部分とによって、弾性伸縮部材１９が挟持されるものであってもよい。
【００２２】
パンツ型吸収性物品１の側端部１１は、腹側領域３１の側端に位置する側端部１１ａと背側領域３２の側端に位置する側端部１１ｂとが、エンボス加工などにより相互に固着されている。側端部１１は、着用者からパンツ型吸収性物品１を除去しやすいように、破断可能に形成されていてもよい。
【００２３】
次に、本実施形態のパンツ型吸収性物品１を製造する方法の一例を、図２（ａ）〜（ｄ）を用いて説明する。まず、図２（ａ）に示すように、第２の不織ウェブ１６および伸縮性フィルム１５の少なくともいずれか一方の上縁端部を超えて延びる延出部１４ａを有する第１の不織ウェブ１４と、を有する伸縮シート１２を含むものを供する。この伸縮シート１２を含むものは、例えば、展開したパンツ形状にカットされた伸縮シート１２と、伸縮シート１２の肌当接面側に固着された内装体２０とを有する。または、この伸縮シート１２を含むものは、展開したパンツ形状にカットされた伸縮シート１２の腹側領域３１と背側領域３２に相当する部分を重ね合わせて、腹側領域３１の側端に位置する側端部１１ａと背側領域３２の側端に位置する１１ｂとを相互に固着したものであってもよい。
【００２４】
次に、図２（ｂ）に示すように、伸縮シート１２の第２の不織ウェブ１６の表面に、糸ゴムなどの弾性伸縮部材１９を固着する。弾性伸縮部材１９は、熱溶着、超音波接着、接着剤を用いた接着などによって、第２の不織ウェブ１６の表面に固着することができる。弾性伸縮部材１９は、伸長状態で、伸縮シート１２に固着することで、外装体１０のウエスト周りとなる部分の全周または一部に配される。
【００２５】
そして、図２（ｃ）に示すとおり、弾性伸縮部材１９を覆うように、第１の不織ウェブ１４の延出部１４ａをパンツ型吸収性物品１の内側となる方向、つまり、外装体１０の内装体２０が固着された表面側に折り返すことで、折返部１３として一重折返部１３ａを形成する。弾性伸縮部材１９は、延出部１４ａと第２の不織ウェブ１６との間に挟みこまれて固着される。これにより、延出部１４ａの少なくとも一部を含む折返部１３は、第２の不織ウェブの上縁端部が延出部１４ａに覆われるように形成される。このような工程を含むことによって、パンツ型吸収性物品１を形成する。
【００２６】
さらに、図２（ｄ）に示すように、一重折返部１３ａを覆うように、外装体１０の端部をパンツ型吸収性物品１の内側となる方向に折り返して、折返部１３として二重折返部１３ｂを形成することで、パンツ型吸収性物品１を形成してもよい。この折返部１３は、三重、四重などの任意の複数折返部とすることもできる。
【００２７】
上記製造方法では、延出部１４ａを有する第１の不織ウェブ１４を用いて、説明をしたが、延出部１４ａを有さない第１の不織ウェブ１４を用いてもよく、この場合には、延出部１４ａの代わりに第１の不織ウェブ１４の上縁部を折り返して、一重折返部１３ａを形成することで実現可能である。
【００２８】
これによって、本実施形態のパンツ型吸収性物品１は、ウエスト開口部Ｗにおいてその内側に折返部１３が設けられているから、伸縮シート１２を含む外装体１０による収縮力によって、折返部１３に指をかけてパンツ型吸収性物品１を引き上げやすく、加齢などにより握力が低下した人でも容易に装着をすることができる。そして、本実施形態のパンツ型吸収性物品１は、折返部１３において、伸縮シート１２と弾性伸縮部材１９との二重のサポートが得られるから、ウエスト周りのフィット性が向上すると共に、それ以外の領域においては、弾性伸縮部材１９やその固定用の接着剤が設けられないことで肌触りを良好にすることができる。
【００２９】
さらに、折返部１３の上部１３ｃに弾性伸縮部材１９を設けた配置領域と、折返部１３の下部１３ｄには弾性伸縮部材１９を設けない非配置領域と、を配設することによって、折返部１３の下縁部１８をフレア状としてもよい。これによって、さらに、折返部１３に指をかけてパンツ型吸収性物品１を引き上げやすくすることができる。
【００３０】
図３は、図１の一点鎖線部で囲まれた矩形領域における部分拡大図である。これに示すように、パンツ型吸収性物品１は、折返部１３の形成領域において、折返部１３を構成する複数層の伸縮シート１２（複数の伸縮シート層）が接合されて一体化された接合部１７を有することが好ましい。接合部１７は、折返部１３を形成した後に、接合部形成領域を熱溶着、超音波接合および接着剤による接着のいずれか、または、これらの組合せによって形成することができるが、パンツ型吸収性物品１の肌触りを良好とするためには接着剤を用いない熱溶着または超音波接合による接合方法を採用することが好ましい。図３に示すように、接合部１７は、外形が細長楕円形状、円形状、細長矩形状などのいずれの形状となるように設けられてもよい。
【００３１】
図４は、図３に示す本実施形態のパンツ型吸収性物品１の一点鎖線部を、さらに拡大した拡大図である。図４に示すように、吸収性物品１の長手方向における接合部１７の長さＬ１は１０ｍｍ以上３０ｍｍ以下であって、吸収性物品１の短手方向における接合部１７の長さＬ２は２ｍｍ以上１０ｍｍ以下となるように設けられることが好ましい。
【００３２】
そして、隣り合った接合部１７間は、間隔Ｄだけ離間して、間欠的に設けられている。隣り合った接合部１７、第１の接合部１７ａと第２の接合部１７ｂとの離間距離Ｄは、２０ｍｍ以上１００ｍｍ以下であることが好ましい。なお、上記接合部１７の長さＬ１、Ｌ２および接合部１７間の離間距離Ｄは、それぞれのうちの最大長または最大間隔をいうものとする。そして、第１の接合部１７ａと第２の接合部１７ｂとの離間距離Ｄは、第１の接合部１７ａの中央から第２の接合部１７ｂの中央までの間隔をいう。
【００３３】
股部領域３３に位置する外装体１０は、腹側領域３１及び背側領域３２に位置する部分と同様に伸縮シート１２で構成してもよいし、不織ウェブなどの非伸縮性シートを用いて構成してもよいし、腹側領域３１及び背側領域３２に位置する部分と同様に伸縮シート１２で構成してもよい。
【００３４】
本実施形態の伸縮シート１２を構成する不織ウェブ１４としては、製法は特に限定されず、例えば、スパンボンドやメルトブロー不織ウェブ、あるいは、スパンボンド／メルトブロー、スパンボンド／メルトブロー／スパンボンドを積層した複合不織ウェブ、及びこれらの複合材料が例示される。また、伸縮性フィルム１５は、伸縮性を備えたものであればよく、例えば、ポリエステル系エラストマー、ポリオレフィン系エラストマー、ポリウレタン系樹脂、ポリアミド系樹脂等から形成されたフィルムがあげられる。なかでも、コスト及び伸縮性能の観点から、ポリウレタン系樹脂フィルムが好ましい。
【００３５】
弾性伸縮部材１９は、弾性伸縮部材１９を伸張した状態で伸縮シート１２に固着することで、外装体１０を含むパンツ型吸収性物品１を着用者のウエストに対して引っ張って保持するように構成されたものである。弾性伸縮部材１９は、糸状、ストリップ状、ウエストベルト状などの如何なる形状でもよいが、細長形状を有し、パンツ型吸収性物品の長手方向よりも短手方向に略沿って細長く配置され、パンツ型吸収性物品の伸縮特性を制御するものである。弾性伸縮部材１９としては、例えば、単数または複数の糸ゴム、不織ウェブに糸ゴムが固着されたウエストベルト、エラストマーフィルム、弾性発泡材、エラストマー布などの任意の弾性収縮材料を用いることができる。
【００３６】
伸縮シート１２は、非伸縮状態において、２０ｃｍ３／ｃｍ２・秒以上のＪＩＳ  Ｌ  １０９６−Ａ（フラジール法）：１９９０に基づいて測定される通気度を有する。通気度が２０ｃｍ３／ｃｍ２・秒未満であると、着用時に蒸れ易くなる。通気度は、伸縮シート１２を構成する不織ウェブ１４の繊維や糸の太さ、織り密度、単位面積当たりの重さや、伸縮シート１２に設けられた開口部の開口面積率等により、自由に変えることができる。
【００３７】
また、伸縮シート１２は、伸縮方向に１５０％伸長したときに、５０ｃｍ３／ｃｍ２・秒以上のＪＩＳ  Ｌ  １０９６−Ａ（フラジール法）：１９９０に基づいて測定される通気度を有する。ここで、伸縮方向に１５０％伸長したとは、非伸縮状態の伸縮シート１２の自然長Ｌ１に対する、特定の方向（伸縮方向）に伸縮シート１２を伸長して伸長状態としたときの長さＬ２の伸長率を示すものであって、伸長率＝Ｌ２／Ｌ１×１００［％］で計算されたものである。すなわち、例えば、非伸縮状態の自然長１０ｃｍの伸縮シート１２を伸長方向に伸長させて１５ｃｍとした場合、伸縮方向に１５０％（＝１５／１０×１００）伸長したものとなる。通気度が５０ｃｍ３／ｃｍ２・秒未満であると、伸長された状態で使用する部位、例えば、おしり周りの部位に対して、着用時に蒸れ易くなる。
【００３８】
伸縮シート１２は、パンツ型吸収性物品１の長手方向および短手方向の二軸方向の両方において伸縮特性を有するものであることが好ましい。そして、伸縮シート１２は、パンツ型吸収性物品１の短手方向の伸縮性は、パンツ型吸収性物品１の長手方向の伸縮性よりも大きいことが好ましい。
【００３９】
パンツ型吸収性物品１には、腹側領域３１から股部領域３３を経て背側領域３２に渡って、左右一対のレッグギャザーを設けることもできる。レッグギャザーは、例えば、糸ゴムなどの弾性部材と不織ウェブ等のシートによって形成される。レッグギャザーを設けることにより、股下周りの部位におけるフィット感が向上する。
【００４０】
伸縮性フィルム１５には複数の開口部が形成されていてもよい。これらの複数の開口部は、パンツ型吸収性物品１の外装体１０における通気性を向上し、かつ、伸縮性フィルム１５の開口による耐久性の低下を緩和するために、平面視において千鳥状に配置されていてもよい。また、これらの複数の開口部の形状は特に限定されず、例えば、長方形、楕円形、ひし形等であってもよい。
【００４１】
次に、図５を参照して、本発明の実施形態に係るパンツ型吸収性物品１に使用される伸縮シート１２の形成方法を説明する。ここでは、伸縮シート１２の連続体を長手方向に搬送しながら、形成する方法について説明する。まず、図５（ａ）に示すように、第１工程として、伸縮性フィルム１５となる連続体を回転ローラ５１から給送し、伸縮性フィルム１５となる連続体に所定の張力をかけて上下に伸張する。所定の張力とは、伸縮性フィルム１５を２００％以上、より好ましくは２５０±３０％伸張した状態をいう。そして、第２工程では、回転ローラ５２ａから供給された不織ウェブ１４となる連続体及び回転ローラ５２ｂから供給された不織ウェブ１６となる連続体を、伸張した状態の伸縮性フィルム１５となる連続体の上下に積層する。次に、第３工程では、積層された伸縮性フィルム１５と不織ウェブ１４と不織ウェブ１６となる連続体を伸縮方向と直行する縦方向に実質的に連続したシール線を、伸縮方向に対して０．５ｍｍ以上２．０ｍｍ以下の間隔で全領域にわたって熱融着又は超音波接着することによって形成し、伸縮性フィルム１５と不織ウェブ１４と不織ウェブ１６となる連続体を固着することで、伸縮シート１２を形成する。具体的に、図５（ｂ）に示すように、積層された伸縮性フィルム１５と不織ウェブ１４と不織ウェブ１６とを接合ローラ５３と他方の接合ローラ５４で狭圧し、接合ローラ５３の先端の端部５５と、他方の接合ローラ５４の側面５６との接点を熱融着又は超音波接着によって、シール線を形成する。このように、シール線を所定の間隔に形成し、不織ウェブ１４と伸縮性フィルム１５と不織ウェブ１６とを一体化することによって、外装体１０の表面のシワが緩和され、滑らかな肌触りとすることができる。
【００４２】
伸縮シート１２は、腹側領域３１の少なくとも非肌当接面側において、６００μｍ以上、１２００μｍ以下の算術平均粗さＲａと、６０μｍ以上、２５０μｍ以下の粗さ曲線の最大断面高さＲｔと、６００μｍ以上、８５００μｍ以下の粗さ曲線要素の平均長さＲＳｍと、を有することが好ましい。また、伸縮シート１２は、伸縮方向に１５０％伸長したときに、４００μｍ以上、１０００μｍ以下の算術平均粗さＲａと、５０μｍ以上、２００μｍ以下の粗さ曲線の最大断面高さＲｔと、を有することが好ましい。算術平均粗さＲａは、ＪＩＳ  Ｂ  ０６０１（２００１）に準拠されるものであり、上記範囲にすることにより、平坦になりすぎず、表面が滑らかで、意匠性が良好となる。また、粗さ曲線の最大断面高さＲｔは、ＪＩＳ  Ｂ  ０６０１（２００１）に準拠されるものであり、上記範囲にすることにより、適度な摩擦力を有する表面となる。さらに、粗さ曲線要素の平均長さＲＳｍは、ＪＩＳ  Ｂ  ０６０１（２００１）に準拠されるものであり、上記範囲にすることにより、高級感のある触感を得ることができる。よって、パンツ型吸収性物品１の表面は、下着により近い外観を得ることができる。また、伸縮方向に１５０％伸長したときに、算術平均粗さＲａと粗さ曲線の最大断面高さＲｔを上記範囲とすることで、パンツ型吸収性物品１を脱着する際に、指触りの良さを与えることができる。算術平均粗さＲａ、粗さ曲線の最大断面高さＲｔ及び粗さ曲線要素の平均長さＲＳｍは、例えば、（株）ＫＥＹＥＮＣＥ社製のワンショット３Ｄ測定マクロスコープ（商品名：ＶＲ−３１００）を用いて測定することができる。
【００４３】
伸縮シート１２は、伸縮方向に１２０％伸長したときに、０．８Ｎ／５０ｍｍ以上２．０Ｎ／５０ｍｍ以下の伸長荷重を有し、かつ、伸縮方向に１５０％伸長したときに、２．０Ｎ／５０ｍｍ以上３．５Ｎ／５０ｍｍ以下の伸長荷重を有することが好ましい。なお、着用者の体型によって、伸長率が変化するため、１２０％及び１５０％の伸張荷重を規定した。このようにすることで、体型によってフィット感の差異が生じない。また、伸縮シート１２は、伸縮方向と交差する方向に３．０Ｎ／５０ｍｍの荷重を施したときに、３０％以下の伸び率を有することが好ましい。このようにすることで、配設方向以外の方向には伸張しないため、パンツ型吸収性物品１の着脱がし易くなる。また、伸縮シート１２は、２００％以上２７０％以下の伸縮方向の伸び率を有する。このため、従来と比較して２００％以上の伸張が可能となったため、着用者にとって、はき易く、かつ脱ぎ易いパンツ型吸収性物品１が提供できる。ここで、伸縮方向の伸び率とは、伸縮方向に１２０％伸長したときと同様、非伸縮状態の自然長に対する、伸長した長さの割合である。伸長荷重は、例えば、島津製作所製のオートグラフを用いて測定することができる。
【００４４】
また、伸縮シート１２は、伸縮方向に２１０％以上２８０％以下の破断伸度を有することが好ましい。ここで、破断伸度とは、非伸縮状態の自然長にある伸縮シート１２の元の長さをＬ１とし、伸長したときの長さをＬ２としたとき、特定の方向（伸縮方向）に伸縮シート１２を伸長して破断させたときの伸長率（Ｌ２／Ｌ１×１００）をいう。この範囲に破断伸度を有することにより、着脱の際にパンツを大きく広げても突っ張ったり破れたりしにくくなるという効果が生じる。破断伸度は、例えば、島津製作所製のオートグラフを用いて測定することができる。
【００４５】
以上、実施形態を用いて本発明を説明したが、本発明の技術的範囲は上記実施形態に記載の範囲には限定されないことは言うまでもない。上記実施形態に、多様な変更または改良を加えることが可能であることは当業者に明らかである。また、その様な変更または改良を加えた形態も本発明の技術的範囲に含まれ得ることが、特許請求の範囲の記載から明らかである。
【符号の説明】
【００４６】
１      パンツ型吸収性物品
１０    外装体
１１    側端部
１２    伸縮シート
１３    折返部
１３ａ  一重折返部
１３ｂ  二重折返部
１４    第１の不織ウェブ
１４ａ  延出部
１５    伸縮性フィルム
１６    第２の不織ウェブ
１８    折返部の下縁部
１９    弾性伸縮部材
２０    内装体
３１    腹側領域
３２    背側領域
３３    股部領域
Ａ    パンツ型吸収性物品の内側
Ｂ    パンツ型吸収性物品の外側
【図１】
2016154654.tif 000003
【図２】
2016154654.tif 000004
【図３】
2016154654.tif 000005
【図４】
2016154654.tif 000006
【図５】
2016154654.tif 000007
【図６】
2016154654.tif 000008